(57)【特許請求の範囲】
【請求項１】
ボトムレール内において、該ボトムレールに回転可能に支持された巻取軸にラダーコードの下端部を前記巻取軸が回転するとラダーコードが巻き取られるよう取着し、前記巻取軸を操作ダイヤルで前記ボトムレールの外部から回転操作可能としたことを特徴とする横型ブラインドのボトムレール下限位置調整装置。
【請求項２】
前記巻取軸は、前記ボトムレールの下面に嵌着可能としたテープホルダーに回転可能に支持し、前記巻取軸の少なくとも一端に前記操作ダイヤルを設けたことを特徴とする請求項１記載の横型ブラインドのボトムレール下限位置調整装置。
【請求項３】
前記巻取軸とテープホルダーとの間には、操作ダイヤルの不操作時に該巻取軸の回転を阻止する阻止手段を設けたことを特徴とする請求項２記載の横型ブラインドのボトムレール下限位置調整装置。
【請求項４】
ボトムレール内において、該ボトムレールに回転可能に支持された巻取軸にラダーコードの下端部を取着し、前記巻取軸を操作ダイヤルで前記ボトムレールの外部から回転操作可能とし、
前記巻取軸は、前記ボトムレールの下面に嵌着可能としたテープホルダーに回転可能に支持し、前記巻取軸の少なくとも一端に前記操作ダイヤルを設け、
前記巻取軸とテープホルダーとの間には、操作ダイヤルの不操作時に該巻取軸の回転を阻止する阻止手段を設け、
前記阻止手段は、前記巻取軸の一端に設けた角軸部と、前記テープホルダーに設けた角溝部とで構成し、前記操作ダイヤルを上方へ持ち上げることにより、角軸部と角溝部との係合を解除して、前記巻取軸を回転操作可能としたことを特徴とする横型ブラインドのボトムレール下限位置調整装置。
【請求項５】
前記ボトムレールの上面及び下面の少なくともいずれかに、前記操作ダイヤルを露出させるためのダイヤル孔を設けたことを特徴とする請求項１乃至４のいずれかに記載の横型ブラインドのボトムレール下限位置調整装置。
【請求項６】
前記操作ダイヤル及び巻取軸は、前記ボトムレールの複数個所に嵌着される複数のテープホルダーにそれぞれ設け、各操作ダイヤルの操作により、複数本のラダーコードをそれぞれ巻き取りあるいは巻戻し可能としたことを特徴とする請求項１乃至５のいずれかに記載の横型ブラインドのボトムレール下限位置調整装置。
【発明の詳細な説明】
【０００１】
【発明の属する技術分野】
この発明は、横型ブラインドのボトムレールの下限位置を微調整する調整装置に関するものである。
【０００２】
【従来の技術】
横型ブラインドは、ヘッドボックス内に配設されるスラット角度調節装置からラダーコードが吊下支持され、そのラダーコードに多数段のスラットが支持されている。ラダーコードの下端はボトムレールに取着されている。
【０００３】
また、各スラットには昇降コードが挿通され、その昇降コードの下端はボトムレールに取着されるとともに、上端部はヘッドボックス内に案内されて、スラット昇降装置に接続される。
【０００４】
そして、スラット角度調節装置の動作により、ラダーコードを介して各スラットが同位相で角度調節される。
また、スラット昇降装置の動作により昇降コードが引上げられると、ボトムレールが引上げられて下段のスラットから順次引上げられ、昇降コードが下降すると、ボトムレールが下降して上段のスラットから順次ラダーコードに支持される状態に復帰する。
【０００５】
ボトムレールが最下限まで下降したときには、同ボトムレールはラダーコードに吊下支持される状態となる。
【０００６】
【発明が解決しようとする課題】
上記のような横型ブラインドは、ボトムレールの下限位置はラダーコードの長さによって決定される。従って、設置現場においてボトムレールの下限位置を微調整する必要が生じた場合には、ラダーコードの長さを微調整する必要がある。
【０００７】
このような場合には、ボトムレールへのラダーコード取付位置において、同ボトムレールに嵌着されているテープホルダーを取り外し、ボトムレールに対するラダーコードの掛止め位置を調整している。従って、ボトムレールの下限位置を微調整するための作業が煩雑であるという問題点があった。
【０００８】
また、テープホルダーにラダーコードの巻取りドラムを回転可能に支持し、ボトムレールからテープホルダーを取り外すことなく、巻取りドラムを回転することにより、ラダーコードの下端部を巻取りあるいは巻戻して、ボトムレールの下限位置を調整するようにした構成も提案されている。
【０００９】
ところが、このような構成の調整装置では、巻取りドラムを回転させるために、ドライバーやその他の専用工具が必要となり、それらの工具を使用しての調整作業が煩雑であった。
【００１０】
この発明の目的は、ボトムレールの下限位置の微調整を容易に行い得る調整装置を提供することにある。
【００１１】
【課題を解決するための手段】
請求項１では、ボトムレール内において、該ボトムレールに回転可能に支持された巻取軸にラダーコードの下端部を前記巻取軸が回転するとラダーコードが巻き取られるよう取着し、前記巻取軸を操作ダイヤルで前記ボトムレールの外部から回転操作可能とした。
【００１２】
請求項２では、前記巻取軸は、前記ボトムレールの下面に嵌着可能としたテープホルダーに回転可能に支持し、前記巻取軸の少なくとも一端に前記操作ダイヤルを設けた。
【００１３】
請求項３では、前記巻取軸とテープホルダーとの間には、操作ダイヤルの不操作時に該巻取軸の回転を阻止する阻止手段を設けた。
請求項４では、ボトムレール内において、該ボトムレールに回転可能に支持された巻取軸にラダーコードの下端部を取着し、前記巻取軸を操作ダイヤルで前記ボトムレールの外部から回転操作可能とし、前記巻取軸は、前記ボトムレールの下面に嵌着可能としたテープホルダーに回転可能に支持し、前記巻取軸の少なくとも一端に前記操作ダイヤルを設け、前記巻取軸とテープホルダーとの間には、操作ダイヤルの不操作時に該巻取軸の回転を阻止する阻止手段を設け、前記阻止手段は、前記巻取軸の一端に設けた角軸部と、前記テープホルダーに設けた角溝部とで構成し、前記操作ダイヤルを上方へ持ち上げることにより、角軸部と角溝部との係合を解除して、前記巻取軸を回転操作可能とした。
【００１４】
請求項５では、前記ボトムレールの上面及び下面の少なくともいずれかに、前記操作ダイヤルを露出させるためのダイヤル孔を設けた。
請求項６では、前記操作ダイヤル及び巻取軸は、前記ボトムレールの複数個所に嵌着される複数のテープホルダーにそれぞれ設け、各操作ダイヤルの操作により、複数本のラダーコードをそれぞれ巻き取りあるいは巻戻し可能とした。
【００１５】
【発明の実施の形態】
（第一の実施の形態）
図１〜図３は、第一の実施の形態を示す。横型ブラインドのボトムレール１は、アルミ押出し形材で形成され、その長手方向複数個所において、ヘッドボックスから吊下支持されるラダーコード２の下端部がテープホルダー３により取着されている。
【００１６】
前記ラダーコード２には多数段のスラットが支持され、スラット角度調節装置の動作によりラダーコード２を介して各スラット（図示しない）が同位相で角度調節される。
【００１７】
前記ボトムレール１の下面において、前記テープホルダー３の取付位置には取付孔４が形成されている。
前記テープホルダー３は、その底辺３ａがボトムレール１の下面を覆うように湾曲し、その底辺３ａの前後両端部がボトムレール１の前後両端部に係合可能となっている。
【００１８】
前記テープホルダー３の底辺３ａの中央部上面には、前記ボトムレール１内に向かって突出する第一及び第二の軸受け片５，６が形成されている。
前記第一及び第二の軸受け片５，６には、操作ダイヤル７が回転可能にかつ上下方向に移動可能に支持されている。
【００１９】
前記操作ダイヤル７は、丸軸状の巻取軸８の一端に角軸部９が形成され、その角軸部９の一端にダイヤル部１０が一体に形成されている。また、前記第二の軸受け片６は、その上端部が中央部に向かって対向するように屈曲されて、返し部１１が形成されている。
【００２０】
そして、前記操作ダイヤル７は、その巻取軸８がボトムレール１の長手方向に沿う方向で、第一及び第二の軸受け片５，６に回転可能に支持されるとともに、丸軸部８の一端が返し部１１に当接するまでの範囲で、上下動可能となっている。
【００２１】
図３に示すように、前記操作ダイヤル７の角軸部９は、前記テープホルダー３の底辺３ａ上に形成された角溝部１２に係合可能となっている。また、前記ダイヤル部１０はその下部が前記テープホルダー３の底辺３ａに形成されたダイヤル孔１３から下方へ露出されている。
【００２２】
そして、前記角軸部９が角溝部１２に係合した状態では、操作ダイヤル７はテープホルダー３に回転不能に支持される。また、テープホルダー３から露出されたダイヤル部１０を上方へ押し上げて、角軸部９と角溝部１２の係合を解除すれば、ダイヤル部１０を操作して、操作ダイヤル７を回転操作可能となっている。
【００２３】
前記巻取軸８の中間部には、前記ラダーコード２を挿通するための挿通孔１４が形成されている。前記ラダーコード２の下端部は、テープホルダー３の底辺３ａ上に形成された案内溝１５を経て、巻取軸８の下方に案内され、さらに挿通孔１４に挿通されて、かしめ部１６により挿通孔１４から抜き出し不能に固定されている。
【００２４】
従って、操作ダイヤル７が回転されて、巻取軸８が回転されると、ラダーコード２が巻取軸８に巻き取られるようになっている。
さて、上記のように構成されたボトムレール１の下限位置調整装置では、操作ダイヤル７のダイヤル部１０を上方へ押し上げながらダイヤル部７を回転操作すると、ラダーコード２が巻取軸８に巻き取られて、ボトムレール１が上方へ引上げられる。
【００２５】
操作ダイヤル７の操作を解除すれば、角軸部９が角溝部１２に係合して、操作ダイヤル７の回転が阻止されるため、ボトムレール１の重量に基づいてラダーコード２が巻取軸８から巻戻されることはない。
【００２６】
また、操作ダイヤル７のダイヤル部１０を上方へ押し上げながらダイヤル部７を逆方向へ回転操作すると、ラダーコード２が巻取軸８から巻戻されて、ボトムレール１の吊下げ位置が下降する。
【００２７】
上記のように構成されたボトムレール１の下限位置調整装置では、次に示す作用効果を得ることができる。
（１）操作ダイヤル７の回転操作により、ボトムレール１の下限位置の微調整を容易に行うことができる。
【００２８】
（２）操作ダイヤル７の操作を解除すれば、角軸部９が角溝部１２に係合するので、ボトムレール１の重量によるボトムレール１の下降を未然に防止することができる。
【００２９】
（３）操作ダイヤル７の操作を解除すれば、角軸部９が角溝部１２に係合するので、ボトムレール１を下方へ引張った場合のボトムレール１の下降を未然に防止することができる。
【００３０】
（４）工具を使用することなく、操作ダイヤル７を回転操作することができるので、ボトムレール１の下限位置調整操作を容易に行うことができる。
（５）ラダーコード２をボトムレール１の下方から、同ボトムレール１内に案内し、同ボトムレール１の長手方向に沿って位置する角軸部８に巻き取る構成としたので、ラダーコード２を角軸部８に円滑に巻き取り、あるいは巻き戻すことができる。
（第二の実施の形態）
図４及び図５は、第二の実施の形態を示す。この実施の形態は、前記第一の実施の形態と同様に、操作ダイヤル１７がテープホルダー１８に回転可能に支持され、その操作ダイヤル１７の角軸部１９にラダーコード２を巻き取る構成である。
【００３１】
前記操作ダイヤル１７は、角軸部１９の両端部にダイヤル部２０が設けられている。また、ダイヤル部２０の周面に設けられた凹凸２１がテープホルダー１８に形成されたダイヤル孔２２に摩擦して、ダイヤル部２０の回転操作に適度なクリック感を付与するとともに、ボトムレール１の重量によりラダーコード２が巻戻されないようになっている。
【００３２】
このように構成されたボトムレール１の下限位置調整装置では、前記第一の実施の形態で得られた（１）（２）（４）（５）と同様な作用効果を得ることができるとともに、下記に示す作用効果を得ることができる。
【００３３】
（１）ダイヤル部２０が角軸部１９の両端部に形成されているので、両ダイヤル部２０を操作することにより、操作ダイヤル１７を容易に回転操作することができる。
【００３４】
（２）操作ダイヤル１７の回転操作に、クリック感を付与することができる。
（第三の実施の形態）
図６及び図７は、第三の実施の形態を示す。この実施の形態は、ボトムレール１内において、同ボトムレール１の長手方向に沿ってラダーコード２の巻取軸２３が回転可能に支持され、その巻取軸２３の一端に操作ダイヤル２４が取着されている。
【００３５】
前記操作ダイヤル２４は、その上部がボトムレール１の上面に形成されたダイヤル孔２５から露出されている。
また、図７に示すように、前記操作ダイヤル２５の下方には、先端が操作ダイヤル２５の凹凸に係合する板バネ２６が設けられ、操作ダイヤル２５の逆回転方向、すなわち巻取軸２３のラダーコード巻戻し方向の回転を阻止するようになっている。
【００３６】
そして、操作ダイヤル２４を操作して、巻取軸２３を回転操作することにより、ラダーコード２を巻取軸２３に巻き取って、ボトムレール１の高さを微調整することができる。
【００３７】
このように構成されたボトムレール１の下限位置調整装置では、前記第一の実施の形態で得られた（１）（４）（５）と同様な作用効果を得ることができる。
上記実施の形態は、次に示すように変更することもできる。
・ボトムレールの複数個所に設けられるテープホルダーのいずれかに操作ダイヤルを設け、その操作ダイヤルの操作によりボトムレール内に延設された巻取軸を回転駆動することにより、複数本のラダーコードを巻取軸に同時に巻き取り、あるいは巻戻すようにしてもよい。
・操作ダイヤルをボトムレールの中間部、あるいはボトムレールの端部キャップに設け、その操作ダイヤルの操作によりボトムレール内に延設された巻取軸を回転駆動することにより、複数本のラダーコードを巻取軸に同時に巻き取り、あるいは巻戻すようにしてもよい。
【００３８】
前記実施の形態から把握できる前記請求項以外の技術思想を以下に述べる。
（１）前記巻取軸を前記ボトムレール内に延設し、前記ボトムレールの複数個所に嵌着される複数のテープホルダーの少なくともいずれかに前記操作ダイヤルを設け、該操作ダイヤルの操作により、複数本のラダーコードを一括して巻き取りあるいは巻戻し可能としたことを特徴とする請求項１乃至５のいずれかに記載の横型ブラインドのボトムレール下限位置調整装置。
【００３９】
【発明の効果】
以上詳述したように、この発明はボトムレールの下限位置の微調整を容易に行い得る調整装置を提供することができる。
【図面の簡単な説明】
【図１】第一の実施の形態の下限位置調整装置を示す断面図である。
【図２】図１のＡ−Ａ線断面図である。
【図３】図１のＡ−Ａ線断面図である。
【図４】第二の実施の形態の下限位置調整装置を示すボトムレールの底面図である。
【図５】第二の実施の形態の下限位置調整装置を示す断面図である。
【図６】第三の実施の形態の下限位置調整装置を示す斜視図である。
【図７】第三の実施の形態の下限位置調整装置を示す断面図である。
【符号の説明】
１            ボトムレール
２            ラダーコード
７            操作ダイヤル
８            巻取軸
【図１】
0003589953.tif 000002
【図２】
0003589953.tif 000003
【図３】
0003589953.tif 000004
【図４】
0003589953.tif 000005
【図５】
0003589953.tif 000006
【図６】
0003589953.tif 000007
【図７】
0003589953.tif 000008